(57)【要約】【課題】  本発明の目的は、不使用時には屋外操作盤へ収納でき、使用時には簡易に短時間でセットして風が強い時であっても確実に屋外操作盤の前面への雨の侵入を防ぐことができる防雨器具を提供することにある。【解決手段】  屋外操作盤の前面への雨の侵入を防ぐための防雨器具であって、屋外操作盤の上部から前方へとスライド可能な防雨屋根と、前記防雨屋根の両側縁に取り付けられ、該該防雨屋根に面する位置から該側縁に垂下する位置まで回転可能な１組の側板と、から構成される防雨器具である。【選択図】図１
2011139619.tif 000002
【特許請求の範囲】
【請求項１】
屋外操作盤の前面への雨の侵入を防ぐための防雨器具であって、
屋外操作盤の上部から前方へとスライド可能な防雨屋根と、
前記防雨屋根の両側縁に取り付けられ、該防雨屋根に面する位置から該側縁に垂下する位置まで回転可能な１組の側板と、
から構成される防雨器具。
【請求項２】
前記側板が前記側縁に垂下した時の縦長は、屋外操作盤上部の前面幅の略半分であることを特徴とする請求項１に記載の防雨器具。
【請求項３】
前記側板が前記側縁に垂下した時の縦長は、略３００ｍｍであることを特徴とする請求項１に記載の防雨器具。
【請求項４】
前記防雨屋根が屋外操作盤の前方へとスライドした時の最大水平張出長は、屋外操作盤の前面全体を開閉できる大扉の幅以上であることを特徴とする請求項１から３のいずれかに記載の防雨器具。
【請求項５】
前記側板は、前記防雨屋根に面する位置および前記側縁に垂下する位置でそれぞれ固定可能となっていることを特徴とする請求項１から４のいずれかに記載の防雨器具。
【発明の詳細な説明】
【技術分野】
【０００１】
本発明は、屋外操作盤の前面への雨の侵入を防ぐための防雨器具に関し、より詳細には、屋外操作盤の前方へとスライド可能な防雨屋根とその両側縁に取り付けられた１組の側板を備えた防雨器具に関する。
【背景技術】
【０００２】
水力発電所の水路機器を現地で電動操作（上昇、下降）するために、屋外操作盤（操作用分電盤）が設けられている。図６に従来の屋外操作盤の構造図を示す。
屋外操作盤１０１は防雨型であり、本操作時は小扉１０２のみを開放し所要のボタンを押せばよい。しかし、本操作の前準備として、大扉１０３を開放し盤内に手を入れて電源（動力、制御など）の投入・開放を行う必要がある。降雨時の電源投入・開放には、感電と盤内ショート防止のため、傘等で雨よけをしている。
【０００３】
降雨時に傘を手に持ったままでは、扉の開閉や電源の投入といった動作が片手となり、突風や傾斜による急な扉の閉まりで手や体を挟む恐れがある。また、片手操作となると、安全確認や緊急停止時など俊敏な行動がしにくいころから、誤動作、誤操作の要因にもなる。さらに、傘では上部しか保護されないため、雨が吹き込み、感電、ショートの恐れ、盤内劣化といった問題がある。特に水力発電所の水路機器は、悪天候時における出水操作が必要となる場合があり、操作時の安全対策が求められていた。
【０００４】
その対策として屋外操作盤に防雨用の大型屋根を取り付ける方法がある。しかし、操作盤周辺には他の機器・設備が集中しており、通路として利用されている場合が多く、大型屋根設置用のスペースを確保することが難しい。
【０００５】
屋外操作盤に可搬型の小型屋根を取り付ける方法もある（特許文献１参照）。特許文献１の雨水制御装置は、ボックス形状に枠組みされた枠組体と、該枠組体に取り付けられたカバーフィルムから構成される。設備の扉部を枠組体で覆うことにより雨水の浸入を防止するものである。
【０００６】
しかし、可搬型の小型屋根は、悪天候の中での取り付け・取り外しとなることから、作業に手間がかかり新たな準備時間が必要となる。さらに、使用頻度が低い場合には、部品の破損や欠品などにより必要なときに取り付けできない恐れもある。
【０００７】
別の対策として、屋外操作盤に小型の屋根を取り付ける方法がある（例えば特許文献２〜４参照）。特許文献２〜４には、自動車の屋根に取り付けるひさしが記載されている。通常は屋根上に収納されているが、使用時にはフロントガラス側に引き出して雨等を防ぐことで、取り付けの手間がいらず、かつ不使用時にも邪魔にならない。
【先行技術文献】
【特許文献】
【０００８】
【特許文献１】特開２００８−２２８４０４号公報（請求項１等）
【特許文献２】特開平７−２２３４４２号公報（特許請求の範囲等）
【特許文献３】特開平１１−１７０８７０号公報（請求項１等）
【特許文献４】特開２００２−１７８７４９号公報（請求項４等）
【発明の概要】
【発明が解決しようとする課題】
【０００９】
しかし、特許文献２〜４に記載のひさしは平板形状であるため、これを屋外操作盤に用いた場合に上からの雨の侵入を防ぐことはできても、風が強いときに横からの雨の侵入を防ぐことはできない。
【００１０】
よって、これらの課題を解決するために本発明の目的は、不使用時には屋外操作盤へ収納でき、使用時には簡易に短時間でセットして風が強い時であっても確実に屋外操作盤の前面への雨の侵入を防ぐことができる防雨器具を提供することにある。
【課題を解決するための手段】
【００１１】
以上の課題を解決するために、本発明は、屋外操作盤の前面への雨の侵入を防ぐための防雨器具であって、屋外操作盤の上部から前方へとスライド可能な防雨屋根と、前記防雨屋根の両側縁に取り付けられ、該防雨屋根に面する位置から該側縁に垂下する位置まで回転可能な１組の側板と、から構成される防雨器具である。
【００１２】
防雨屋根だけでなく側板を設けたことで横からの雨の侵入を防ぐことができる。また、側板を防雨屋根に面する位置から側縁に垂下する位置（垂れ下がる位置）まで回転可能とすることで、簡易に短時間でセットと収納を行うことができる。
【００１３】
ここで、前記側板が前記側縁に垂下した時の縦長は、屋外操作盤上部の前面幅の略半分であることが好ましい。側板の縦長を屋外操作盤の前面幅の略半分とすることで、不使用時に側板を防雨屋根に面する位置に容易に固定できる。さらに、使用時に垂下する位置に側板をセットしても、屋外操作盤の標準サイズから判断して操作員と接触せず、十分な作業スペースを提供できる。
【００１４】
もしくは、前記側板が前記側縁に垂下した時の縦長は略３００ｍｍであってもよい。側板の縦長を一律（略３００ｍｍ）に規定することで、所定の防雨性を確保しながら、仕様の標準化によるメリットを享受できる。
【００１５】
また、前記防雨屋根が屋外操作盤の前方へとスライドした時の最大水平張出長は、屋外操作盤の前面全体を開閉できる大扉の幅以上であることが好ましい。防雨屋根の最大水平張出長を大扉の幅以上とすることで、屋外操作盤の標準サイズから判断して屋外操作盤の前面への雨の吹き込みを許容値以下に低減できる。
【００１６】
また、前記側板は、前記防雨屋根に面する位置および前記側縁に垂下する位置でそれぞれ固定可能となっていることが好ましい。側板を所定位置に固定可能とすることで、側板をセット・収納した時の安定性を向上できる。
【発明の効果】
【００１７】
本発明の防雨器具によれば、不使用時には屋外操作盤へ収納でき、使用時には簡易に短時間でセットして風が強い時であっても確実に屋外操作盤の前面への雨の侵入を防ぐことが可能となる。
【図面の簡単な説明】
【００１８】
【図１】本発明の実施形態に係わる防雨器具を屋外操作盤の前方にスライドさせてセットした時の概要図である。
【図２】本発明の実施形態に係わる防雨器具を収納した時の概要図である。
【図３】本発明の実施形態に係わる防雨器具と操作盤屋根の位置関係を表す平面図である。
【図４】本発明の実施形態に係わる防雨器具の側板と操作員との位置関係を表す概要図である。
【図５】本発明の実施形態に係わる防雨器具の詳細を表す構造図である。
【図６】従来の屋外操作盤の概要図である。
【発明を実施するための形態】
【００１９】
以下に添付図面を参照しながら、本発明を実施するための形態について詳細に説明する。かかる実施形態に示す寸法、材料、その他具体的な数値などは、発明の理解を容易とするための例示に過ぎず、特に断る場合を除き、本発明を限定するものではない。
【００２０】
本発明は、屋外操作盤の前面への雨の侵入を防ぐための防雨器具を対象とする。屋外操作盤の用途は特に限定されないが、ここでは、水力発電所における水路機器（ダムゲート、取水口ゲート等）を現地で電動操作（上昇、下降）するために設けられた操作用分電盤を代表例に用いて説明する。また、屋外操作盤の前面とは操作者が対面して操作する面のことをいう。
【００２１】
屋外操作盤と防雨器具の構造について図１、図２を用いて説明する。図１は、本発明の実施形態に係わる防雨器具を屋外操作盤の前方にスライドさせてセットした時の概要図である。図２は、同防雨器具を収納した時の概要図である。図１（ａ）および図２（ａ）は正面図であり、図１（ｂ）および図２（ｂ）は右側面図である。なお、屋外操作盤の前方とは、図１（ｂ）に示す白抜矢印の方向のことをいう。
【００２２】
屋外操作盤１０は、操作盤収納部１１と、操作盤屋根１２と、支柱１３と、基礎１４とから構成される。操作盤収納部１１には、各種の操作ボタン１５が収納され、さらに前面全体を開閉できる大扉１６と、大扉１６の一部を開閉できる小扉１７が備えられている。
【００２３】
操作盤屋根１２は、操作盤収納部１１よりも幅、奥行きとも２０％〜３０％程度大きくなっている。また、降雨時に雨が屋外操作盤１０の背面に流れ落ちるように背面側に向けて１０°程度の傾斜が設けられている。
【００２４】
操作盤屋根１２の上部には防雨器具２０が設けられている。防雨器具２０は、防雨屋根２１と１組の側板２２とから主に構成されている。ここで、防雨屋根２１は、屋外操作盤１０の上部（操作盤屋根１２）から前方へとスライド可能となっている（図１（ｂ）白抜矢印参照）。また、１組の側板２２は、防雨屋根２１の両側縁に取り付けられ、防雨屋根２１に面する位置（図２（ａ）参照）から側縁に垂下する位置（図１（ａ）参照）まで回転可能となっている（両図白抜矢印参照）。
【００２５】
防雨屋根２１と側板２２を設けたことで屋外操作盤前面の上側と横側からの雨の侵入を同時に防ぐことができる。また、防雨屋根２１をスライド可能とし、側板２２を防雨屋根２１に面する位置から側縁に垂下する位置まで回転可能とすることで、簡易に短時間でセットと収納を行うことができる。
【００２６】
防雨屋根２１は、操作盤屋根１２とほぼ同じ大きさであり、かつ同様に傾斜して取り付けられている。防雨屋根２１の素材は所定の耐久性を有していれば特に限定されないが、軽量であることからアルミが好ましい。また、防雨屋根２１の前面にはスライド操作用の取っ手２３が取り付けられているが、この素材も防雨屋根２１と同様の素材か、もしくはさらに高耐久性の素材（例えばステンレス）を用いるのが好ましい。
【００２７】
防雨屋根２１は、操作盤屋根１２の側面に取り付けられたスライドレール２４によってスライド可能に支持されている。スライドレール２４の詳細構造については後述する。
【００２８】
防雨屋根２１が屋外操作盤１０の前方へとスライドした時の最大水平張出長Ｌは、操作員の作業スペースへの雨の侵入を防止できるように適宜設定すればよいが、特に大扉１６の幅Ｂ以上であることが好ましい。防雨屋根２１の最大水平張出長Ｌを大扉１６の幅Ｂ以上とすることで、屋外操作盤１０の標準サイズ（Ｂ＝５００mm〜１１００mm程度）から判断して屋外操作盤１０の前面への雨の吹き込みを許容値以下に低減できる。
【００２９】
側板２２は角丸長方形もしくは角丸平行四辺形の形状をしている。その素材は防雨屋根２１と同じく所定の耐久性を有していれば特に限定されないが、軽量であることからアルミが好ましい。
【００３０】
図３に、防雨器具と操作盤屋根の位置関係を表す平面図を示す。図３（ａ）は防雨器具の使用時にセットした時の平面図であり、図３（ｂ）は同不使用時に収納した時の平面図である。ここで、防雨器具２０の使用時には、防雨屋根２１を屋外操作盤１０の前方へスライドし、防雨屋根２１の側縁から側板２２を垂下してセットする（図３（ａ）参照）。また、防雨器具２０の不使用時には、側板２２を防雨屋根２１に面する位置まで回転し、防雨屋根２１を屋外操作盤１０の方へスライドして収納する（図３（ｂ）参照）。
【００３１】
側板２２の奥行は防雨屋根２１の奥行とほぼ同じ長さに設定するのが好ましい。側板２２の不使用時に収容しやすく、かつ使用時に可能な限り横からの雨の侵入を防止できるためである。
【００３２】
側板２２が防雨屋根２１の側縁に垂下した時の縦長Ｄは、屋外操作盤上部の前面幅（図３（ｂ）における操作盤屋根幅Ｗ）の略半分であることが好ましい。図３（ｂ）の通り、防雨器具２０の不使用時には、側板２２は防雨屋根２１に面する位置まで回転して折りたたまれ、端部を固定具２５で固定される。縦長Ｄを操作盤屋根幅Ｗの略半分とすることで、折りたたんだ時に側板２２の端部が近接して側板２２を防雨屋根２１に面する位置に容易に固定できる。
【００３３】
さらに、縦長Ｄを操作盤屋根幅Ｗの略半分とすることで、防雨性と操作員の作業性の両方を同時に満足することもできる。この点について、図４を用いて説明する。図４は、屋外操作盤の標準サイズをベースとして防雨器具の側板と操作員との位置関係を表した概要図である。
【００３４】
ここでは屋外操作盤１０の標準サイズとして、操作盤屋根幅Ｗを６００〜１２００ｍｍ、屋外操作盤全高Ｈを１９００ｍｍと設定した。操作盤屋根１２と防雨屋根２１の寸法は同じと仮定し、同図には、操作盤屋根１２の端部から縦長Ｄ＝Ｗ／２の側板２２を垂下した場合を図示した。また、屋外操作盤１０の中央に平均的なサイズの男性操作員（身長約１７０ｃｍ）のイメージも図示した。
【００３５】
例えば操作盤屋根幅Ｗが６００ｍｍの場合、屋外操作盤１０の中央から横方向に３００ｍｍの位置に縦長Ｄ＝３００ｍｍの側板２２が設置される。この場合、側板２２と接触することなく操作員が両手で作業でき、かつ、操作員の頭上への雨の吹き込みを防止できる。
【００３６】
さらに、操作盤屋根幅Ｗが増加するのに伴い、屋外操作盤１０の中央から側板２２までの離隔Ｒと、側板２２の縦長Ｄが、ともにＷ／２となるように増加していく。離隔Ｒが増加していくことで、操作員にとってより多くの作業スペースを提供できる。同時に縦長Ｄが増加していくことで、屋外操作盤１０の横方向からの雨の吹き込みをより低減できる。つまり、操作員の作業性と防雨性のバランスをとりながら両方を同時に満足することが可能となる。
【００３７】
なお、操作盤屋根幅Ｗに関わらず、側板２２の縦長Ｄを固定長（略３００ｍｍ）に設定しても良い。所定の防雨性を確保しながら、仕様の標準化によるメリットを享受できるためである。
【００３８】
図５は、防雨器具の詳細を表す構造図である。図５（ａ）は操作盤屋根と防雨器具の側面図であり、図５（ｂ）および図５（ｃ）はそれぞれＡ断面とＢ断面の部分断面図である。
【００３９】
操作盤屋根１２と防雨屋根２１の側面にはスライドレール２４が設置されている。スライドレール２４は、操作盤屋根側に取り付けられたレール外枠２６と、その内側に設置されたボールベアリング２７と、防雨屋根側に取り付けられたレール内枠２８とから構成されている（図５（ｃ）参照）。レール外枠２６に設置されたボールベアリング２７が回転してレール内枠２８が滑らかにスライドする。また、スライドレール２４には、防雨屋根２１を所定長スライドした位置に固定するためのストッパ２９が設けられている。
【００４０】
防雨屋根２１の側縁と側板２２の上端とは蝶番３０で回転可能に接続されている。防雨器具２０の使用時に側板２２を防雨器具２０の側縁に垂下する位置まで回転させた時には、固定フック３１で防雨屋根２１の側面と固定できるようになっている。側壁をセットした時の安定性を向上するためである。
【００４１】
次に、本実施形態の防雨器具２０の操作手順について説明する。
まず、操作員が取っ手２３を持って防雨屋根２１を屋外操作盤１０の前方にスライドさせる。防雨屋根２１を所定長スライドした位置でストッパ２９により固定する。次に、固定具２５を外して側板２２を防雨器具２０の側縁に垂下する位置まで回転させ、固定フック３１で防雨屋根２１の側面に固定する。
【００４２】
操作員の操作が完了した後は、逆の手順で防雨器具２０を収納する。すなわち、固定フック３１を外して、側板２２を操作盤屋根１２に面する位置まで回転させる。その位置で固定具２５により側板２２を固定した後、ストッパ２９のロックを解除して防雨屋根２１を屋外操作盤１０の方へスライドさせる。防雨器具２０のセット、収納は全て片手で簡易に行うことができる。
【００４３】
以上説明の通り、本実施形態の防雨器具２０によれば、不使用時には屋外操作盤１０へ収納でき、使用時には簡易に短時間でセットして風が強い時であっても確実に屋外操作盤１０の前面への雨の侵入を防ぐことが可能となる。
【符号の説明】
【００４４】
１０      屋外操作盤
１１      操作盤収納部
１２      操作盤屋根
１３      支柱
１４      基礎
１５      操作ボタン
１６      大扉
１７      小扉
２０      防雨器具
２１      防雨屋根
２２      側板
２３      取っ手
２４      スライドレール
２５      固定具
２６      レール外枠
２７      ボールベアリング
２８      レール内枠
２９      ストッパ
３０      蝶番
３１      固定フック
１０１    屋外操作盤
１０２    小扉
１０３    大扉
【図１】
2011139619.tif 000003
【図２】
2011139619.tif 000004
【図３】
2011139619.tif 000005
【図４】
2011139619.tif 000006
【図５】
2011139619.tif 000007
【図６】
2011139619.tif 000008